(57)【要約】【課題】消毒綿収納袋内に入れて提供される消毒綿を、提供されたままの状態で消毒綿収納袋ごと保管し、消毒の必要が生じた時に蓋を開いて消毒綿を使用することのできる消毒綿収納ケース、および消毒綿収納袋の提供。【解決手段】頂面が開放された収納ケース本体１２と、これを開閉可能に閉じる蓋３０と、収納ケース本体内に取出し可能に挿入されて、消毒綿収納袋６０を保持する保持具４０とを有する消毒綿収納ケース１０、および、消毒綿収納ケースとの組合せで使用する消毒綿収納袋が開示されている。【選択図】      図７
0003100806.tif 000002
【実用新案登録請求の範囲】
【請求項１】
消毒綿収納袋を入れて使用する蓋付き収納ケースにおいて、頂面が開放された収納ケース本体と、前記頂面を開閉可能に閉じる蓋と、前記収納ケース本体内に取出し可能に挿入されて、前記消毒綿収納袋を保持する保持具とを有し、
前記保持具は、少なくとも頂面が開放されており、その頂面から前記消毒綿収納袋を受け入れて、これを底面側および両側から保持する形状体であり、さらに、前記消毒綿収納袋を両側から保持する、前記保持具の両横枠部材が、前記消毒綿収納袋の両側にある側辺部に対する係止関係で、前記消毒綿収納袋を両側外方に拡張するように働き、それによって、開封された前記消毒綿収納袋の頂部が開放状態に維持されることを特徴とする消毒綿収納ケース。
【請求項２】
前記収納ケース本体が六面体形状になされ、
前記保持具の前記両横枠部材が、相対向する２つの側壁であり、この２つの側壁と底壁とが連なった縦断面Ｕ字形状体として、前記保持具が形成されていることを特徴とする請求項１に記載された消毒綿収納ケース。
【請求項３】
前記保持具の前記両横枠部材が複数の小突起を有し、前記消毒綿収納袋の両側にある前記側辺部に形成された複数の小開口に、前記小突起がそれぞれ嵌り合うことによって、前記消毒綿収納袋の両側にある前記側辺部が、前記保持具の両横枠部材に係止保持されるようになっていることを特徴とする請求項１または請求項２に記載された消毒綿収納ケース。
【請求項４】
前記収納ケース本体および前記蓋が樹脂製であることを特徴とする請求項１から請求項３までのいずれか１項に記載された消毒綿収納ケース。
【請求項５】
前記蓋が、蝶番式に前記収納ケース本体に接続されていることを特徴とする請求項１から請求項４までのいずれか１項に記載された消毒綿収納ケース。
【請求項６】
前記蓋が、閉成状態にある時、解除自在のロック手段によって前記収納ケース本体に鉤留されるようになっていることを特徴とする請求項１から請求項５までのいずれか１項に記載された消毒綿収納ケース。
【請求項７】
請求項１から請求項６までのいずれか１項で定義された消毒綿収納ケースに入れて使用する消毒綿収納袋において、
未使用状態では、開封部分である頂部が封止されており、この開封部分に、開封のための引き裂き容易な処理が予め施されており、
前記消毒綿収納袋の両側にある４つの側辺部の各々に、前記消毒綿収納ケース側の対応箇所に係合する係止部が形成されており、
前記各係止部を前記消毒綿収納ケース側の対応箇所に係止させることによって、開封後の前記消毒綿収納袋の頂部が開放状態に維持されるように構成された消毒綿収納袋。
【請求項８】
前記係止部が小開口であり、前記消毒綿収納ケース側の対応小突起と嵌り合うようになっている請求項７に記載された消毒綿収納袋。
【請求項９】
内面被覆が施されたアルミニウム箔で形成されている請求項７または請求項９に記載された消毒綿収納袋。
【考案の詳細な説明】
【０００１】
【考案の属する技術分野】
本考案は、消毒綿収納ケースおよび消毒綿収納袋に関するものである。
【０００２】
【従来の技術】
消毒液を含浸させて用いる公知の医療用消毒綿は、例えば、注射箇所の皮膚表面、皮膚創傷部分等の消毒に汎用されている。これら消毒綿の利用形態としては、（１）蓋付き容器に直接入れて保管する場合、（２）消毒綿使用の都度、開封部分を開放・封止するような消毒綿収納袋内に入れて保管する場合等がある。
【０００３】
【考案が解決しようとする課題】
従来の消毒綿使用形態例である前記（１）の場合は、市販されている消毒綿を容器に移し変え、かつ消毒薬を注ぎ入れるという煩雑さがあり、前記（２）の場合は、収納袋の開封部分を頻繁に開放・封止する煩雑さがあるだけでなく、不注意により封止を不完全なままにしておくと、消毒綿としての機能が損なわれる惧れがある。
【０００４】
本考案の主目的は、消毒綿収納袋内に入れて提供される消毒綿を、提供されたままの状態で消毒綿収納袋ごと保管し、消毒の必要が生じた時に蓋を開いて消毒綿を使用することのできる消毒綿収納ケースを提供することである。
本考案の別の目的は、前記消毒綿収納ケースとの組合せで好適に使用可能な消毒綿収納袋を提供することである。
【０００５】
【課題を解決するための手段】
かかる目的に照らし、本考案によれば、以下の構成を有する消毒綿収納ケースが提供される。
消毒綿収納袋を入れて使用する蓋付き収納ケースにおいて、
頂面が開放された収納ケース本体と、前記頂面を開閉可能に閉じる蓋と、収納ケース本体内に取出し可能に挿入されて、消毒綿収納袋を保持する保持具とを有し、
この保持具は、少なくとも頂面が開放されており、その頂面から消毒綿収納袋を受け入れて、これを底面側および両側から保持する形状体であり、さらに、消毒綿収納袋を両側から保持する、保持具の両横枠部材が、消毒綿収納袋の両側にある側辺部に対する係止関係で、消毒綿収納袋を両側外方に拡張するように働き、それによって、開封された消毒綿収納袋の頂部が開放状態に維持されることを特徴とする消毒綿収納ケース。
【０００６】
第一の実施態様としての消毒綿収納ケースでは、収納ケース本体が六面体形状になされ、保持具の両横枠部材が、相対向する２つの側壁であり、この２つの側壁と底壁とが連なった縦断面Ｕ字形状体として、保持具が形成されている。
【０００７】
第二の実施態様としての消毒綿収納ケースでは、保持具の両横枠部材が複数の小突起を有し、消毒綿収納袋の両側にある側辺部に形成された複数の小開口に、小突起がそれぞれ嵌り合うことによって、消毒綿収納袋の両側にある側辺部が、保持具の両横枠部材に係止保持されるようになっている。
【０００８】
一好適態様としての消毒綿収納ケースでは、収納ケース本体および蓋が樹脂で形成される。
別の好適態様としての消毒綿収納ケースでは、蓋が、蝶番式に収納ケース本体に接続される。
さらに別の好適態様としての消毒綿収納ケースでは、蓋が、閉成状態にある時、解除自在のロック手段によって収納ケース本体に鉤留される。
【０００９】
また、本考案によれば、前記消毒綿収納ケース入れて好適に使用される、以下の構成を有する消毒綿収納袋が提供される。
未使用状態では、開封部分である頂部が封止されており、この開封部分に、開封のための引き裂き容易な処理が予め施されており、
消毒綿収納袋の両側にある４つの側辺部の各々に、消毒綿収納ケース側の対応箇所に係合する係止部が形成されており、
前記各係止部を消毒綿収納ケース側の対応箇所に係止させることによって、開封後の消毒綿収納袋の頂部が開放状態に維持されるように構成された消毒綿収納袋。
【００１０】
一好適態様としての消毒綿収納袋では、前記係止部が小開口であり、消毒綿収納ケース側の対応小突起と嵌り合うようになされる。
別の好適態様としての消毒綿収納袋は、内面被覆が施されたアルミニウム箔で形成される。
【００１１】
以下、本考案による消毒綿収納ケースおよび消毒綿収納袋の具体例を添付図を見ながら説明する。
【００１２】
【考案の実施の形態】
本考案の一具体例に係わる消毒綿収納ケース１０が、図１〜図９に示されている。消毒綿収納ケース１０は、頂面が開放された収納ケース本体１２と、この収納ケース本体１２の頂面を開閉可能に閉じる蓋３０と、消毒綿収納袋６０（図６）を保持する保持具４０（図２）とで構成される。
【００１３】
収納ケース本体
収納ケース本体１２は、頂面が開放された六面体形状の樹脂製モールド成形品であり、正面壁（縦壁）１４、背面壁（縦壁）１６、２つの側壁（縦壁）１８、および底壁２０から成る（図１、図５）。
収納ケース本体１２の頂縁全周には、溝２２が形成され、溝２２内に、蓋３０と密接する軟質材料製シール部材（密封材）２２ａが嵌挿されている（図４、図５）。
また、背面壁１６の頂縁部に、外方へ突出する複数の突片２４が一体に形成され、蓋３０側の突片３４および支軸Ａと共に蝶番継手を構成している（図１、図５）。
正面壁１４の頂縁部には、この頂縁部から外方および上方へ伸長するＬ字型支持部材２６、および、これに連なる蓋開閉用押圧部片（ロック部材）２８が正面壁１４と一体に形成されている。Ｌ字型支持部材２６には、ある程度の弾発性があり、押圧部片２８を上面から押すと、Ｌ字型支持部材２６が僅かに外方へ偏位する。また、押圧部片２８の内側辺の概ね中央部に蓋３０側の係止突片３６ａと係合する係止突片２８ａが一体に突設されている（図３、図４、図５）。
【００１４】
蓋
蓋３０は、収納ケース本体１２側の長辺を除く他の３側辺に沿って一体に形成された鍔３４を有する（図１、図５）。この鍔３４は、収納ケース本体１２に対して蓋３０を閉成した時に、収納ケース本体１２の頂縁部を外側から覆う。
蓋３０の内面（収納ケース本体１２の開放された頂面を覆う面）には、蓋３０の長方形輪郭形状と相似形をなす隆起条３２が蓋３０と一体に形成されている（図３、図５）。蓋３０の周辺に沿う形状の隆起条３２は、蓋３０を閉めた時に、収納ケース本体１２の頂縁全周に亘って付設された軟質材料製シール部材（密封材）２２ａに密接する。
また、蓋３０の、収納ケース本体１２から遠い側の長辺の概ね中央部に切欠き状の凹所３６が形成され（図１、図３）、蓋３０を閉じる際に、蓋３０と押圧部片２８とが互いに干渉しないようになっている。そして、凹所３６を画成する一部である蓋３０の側辺に係止突片３６ａが形成され、蓋３０を閉じた時に、押圧部片２８の操作で、押圧部片２８の係止突片２８ａと係合するようになっている。
さらに、蓋３０の収納ケース本体１２側の長辺には、蓋３０の内面から直角に突出する複数の突片３８が一体に形成され、収納ケース本体１２側の突片２４および支軸Ａと共に蝶番継手を構成している（図１、図５）。
【００１５】
保持具
保持具４０は、樹脂板製であり、相対向する一対の縦壁（横枠部材）４２および底壁４４から成る縦断面Ｕ字形状体である（図１、図２、図７）。保持具４０のサイズは、収納ケース本体１２の内部に無理なく挿入できる大きさになされている。
また、縦壁４２の上部角隅部に、保持具４０の内側に突出する小突起４６がそれぞれ付設されている。これらの小突起４６は、後記消毒綿収納袋の両側にある前記側辺部に形成された複数の小開口６８ａにそれぞれ嵌り合う。
【００１６】
消毒綿収納袋
消毒綿収納袋６０（図６）は、内面に樹脂被覆が施されたアルミニウム箔で形成され、袋内部に、例えば消毒薬を含浸させた多数の消毒綿が収納されている。消毒綿収納袋６０の上半部６２は、重ね合わせたアルミニウム箔を互いに接合させた封止部分である。消毒綿収納袋６０を開封する際に、上半部６２を取り除くために、下半部６６に連なる箇所で両側辺の各々に一対の破断用切欠き６４、６４が形成されている。この切欠き６４、６４を利用して、破断によって上半部６２を下半部６６から切り放すことができる。
消毒綿収納袋６０の下半部６６には消毒綿が収納されているが、アルミニウム箔を重ね合わせて下半部６６を袋状に形成する過程で生じる両側辺張出し部分６８、６８に４つの小開口６８ａが形成されている。小開口６８ａの形成位置は、切欠き６４、６４に近い、上半部６２と下半部６６の境界位置である。これら小開口６８ａには、保持具４０の４つの小突起４６が嵌入する。
【００１７】
消毒綿収納ケース１０の構成は以上のとおりであるが、さらに、消毒綿収納ケース１０を安定した直立姿勢に保つために、基台５０が用いられる。全体として長方形の基台５０は、上面に凹所５２を有し、この凹所５２内に密嵌状態で収納ケース本体１２の底部を受け入れることができる。
【００１８】
消毒綿収納ケースの使用態様
（１）保持具４０に対する消毒綿収納袋６０の取り付け：  収納ケース本体１２内に挿入されている保持具４０を外に取出し、保持具４０の縦壁４２、４２の間に消毒綿収納袋６０を挿入する。次に、消毒綿収納袋６０の両側辺張出し部分６８、６８に形成された４つの小開口６８ａに対して、それぞれ対応する位置にある、保持具４０の小突起４６を押し込み係合させる。この時、保持具４０の縦壁４２、４２は、消毒綿収納袋６０によって拘束されて、互いに接近する方向（すなわち、内側）に若干傾斜した状態になる（弾性変形による内側への傾斜）。その後、消毒綿収納袋６０の一方の側に位置する一対の切欠き６４、６４の直下部分（下半部６６側）を互いに合致させるように一方の手で挟み、また、消毒綿収納袋６０の対向壁部分を互いに寄せ合った状態にして、切欠き６４、６４を破断起点として、他方の手で下半部６６に対して上半部６２を引き裂く。この時の引き裂き方向は、他方の側に位置する他の一対の切欠き６４、６４に向う方向であり、消毒綿収納袋６０の幅中心に近い位置まで引き裂き破断する。次いで、同様な方法で、他方の切欠き６４、６４を破断起点として、既に引き裂き破断させた部分に向って、下半部６６に対して上半部６２を引き裂き、上、下半部６２、６６を完全に切り離す。この切り離し操作によって、傾斜状態にあった保持具４０の縦壁４２、４２が弾性復元して元の姿勢に戻り、その結果、保持具４０内に装着された消毒綿収納袋６０（下半部６６）は、小突起４６と小開口６８ａとの係合関係により、上部が開放された状態になる（図７）。
【００１９】
（２）収納ケース本体１２内への消毒綿収納袋６０の挿入：  消毒綿収納袋６０（下半部６６）を保持する保持具４０を、蓋３０を開いた状態の収納ケース本体１２内に挿入する。
【００２０】
（３）収納ケース本体１２に対する蓋３０の閉成：  支軸Ａを支点として蓋３０を回転させて蓋３０を閉める。この時、収納ケース本体１２に対して蓋３０を押圧し、押圧部片２８を持ち上げるように操作して、その係止突片２８ａを蓋３０側の係止突片３６ａに係合させる。この状態で、蓋３０が確実に閉成され、蓋３０の隆起条３２が、収納ケース本体１２の頂縁全周に亘って付設された軟質材料製シール部材（密封材）２２ａに密接して、消毒綿収納ケース１０の密閉が保証される（図８、図９）。
【００２１】
本考案の具体例に係わる消毒綿収納ケース１０によれば、保持具４０に消毒綿収納袋６０を装着して、これを収納ケース本体１２内に収納しておけば、上部が開放されたままの状態になって収納されている消毒綿収納袋６０内の消毒綿を、消毒綿収納ケース１０の蓋３０を開けるだけで使用することができる。また、蓋３０を閉じておけば、消毒綿収納袋６０内の消毒綿ボールを密閉状態で安定的に保管することができる。
【００２２】
【考案の効果】
以上、説明したとおり、本考案による消毒綿収納ケース、および、該消毒綿収納ケース内に収納保管される消毒綿収納袋が提供された。
本考案の消毒綿収納ケースによれば、消毒綿収納袋内に入れて提供される消毒綿を、提供されたままの状態で消毒綿収納袋ごと保管し、消毒の必要が生じた時に蓋を開いて消毒綿を使用することができる。
また、本考案の消毒綿収納袋は、消毒綿収納ケースとの組合せで好適に使用可能である。
【図面の簡単な説明】
【図１】本考案の一具体例に係わる消毒綿収納ケースを蓋が開いた状態で示す斜視図。
【図２】図１に示した消毒綿収納ケースの本体内に収容されている保持具の斜視図。
【図３】図１に示した消毒綿収納ケースを蓋が開いた状態で示す正面図。
【図４】図１に示した消毒綿収納ケースを蓋が開いた状態で示す平面図。
【図５】図１に示した消毒綿収納ケースを蓋が開いた状態で示す縦断面図。
【図６】消毒綿収納ケース内に収容される消毒綿収納袋の斜視図。
【図７】保持具および該保持具に保持された消毒綿収納袋が内部に収容された状態で示す図５に対応する縦断面図。
【図８】図１に示した消毒綿収納ケースを蓋が閉成された状態で示す平面図。
【図９】図１に示した消毒綿収納ケースを蓋が閉成された状態で示す正面図。
【符号の説明】
１０  消毒綿収納ケース
１２  収納ケース本体
１４  正面壁
１６  背面壁
１８  側壁
２０  底壁
２２  溝
２２ａ  シール部材
２４  突片
２６  Ｌ字型支持部材
２８  押圧部片（ロック部材）
２８ａ  係止突片
３０  蓋
３２  隆起条
３４  鍔
３６  凹所
３６ａ  係止突片
３８  突片
４０  保持具
４２  縦壁（横枠部材）
４４  底壁
４６  小突起
５０  基台
５２  凹所
６０  消毒綿収納袋
６２  上半部
６４  切欠き
６６  下半部
６８  側辺張出し部分
６８ａ  小開口
Ａ  支軸
【図１】
0003100806.tif 000003
【図２】
0003100806.tif 000004
【図３】
0003100806.tif 000005
【図４】
0003100806.tif 000006
【図５】
0003100806.tif 000007
【図６】
0003100806.tif 000008
【図７】
0003100806.tif 000009
【図８】
0003100806.tif 000010
【図９】
0003100806.tif 000011